(57)【要約】【課題】  日中の屋外等の明るい場所においても、レーザー光を受光してレーザー光そのものを目視できるようにするレーザー光受光器を提供する。【解決手段】  レーザー光受光器１０は、導入窓３２及び目視窓３０を有するハウジング１２と、導入窓３２側に取付けられるものであって半透明の光透過性素材から成るターゲットフィルム２０と、導入窓３２と目視窓３０とを連絡するハウジング１２内に形成される内部空間２８に収容されるミラー１４と、導入窓３２の周囲を覆うフード２４等から構成される。このフード２４によってターゲットフィルム２０やミラー１４に外光が当ることを防ぎ、日中の屋外等明るい場所においてもレーザー光３４を鮮明に目視できる。【選択図】図１
2007315934.tif 000002
【特許請求の範囲】
【請求項１】
レーザー光を導入する導入窓とレーザー光を見るための目視窓とそれら両方の窓同士を連絡する内部空間とを形成したハウジングと、前記内部空間に備えられるもので前記導入窓から進入したレーザー光を前記目視窓に向けて反射させる光反射部材と、前記光反射部材を通過するレーザー光の通過位置に備えられるものであって最適位置標示線を標示したレーザー光受光部材とを有することを特徴とするレーザー光受光器。
【請求項２】
前記レーザー光受光部材に、前記最適位置標示線を中心とする両側に前記最適位置標示線からの距離を示す目盛を標示したことを特徴とする請求項１記載のレーザー光受光器。
【請求項３】
前記レーザー光受光部材を半透明素材で構成したことを特徴とする請求項１記載のレーザー光受光器。
【請求項４】
前記光反射部材の位置より導入窓側に前記レーザー光受光部材を備え、そのレーザー光受光部材の位置より外側に遮光部材を備えたことを特徴とする請求項１記載のレーザー光受光器。
【請求項５】
前記目視窓の位置より外側に遮光部材を備えることを特徴とする請求項４記載のレーザー光受光器。
【請求項６】
前記導入窓側の位置より外側に遮光部材を備え、前記光反射部材の位置より目視窓側に前記レーザー光受光部材を備え、そのレーザー光受光部材の位置より外側に遮光部材を備えたことを特徴とする請求項１記載のレーザー光受光器。
【請求項７】
前記ハウジングに着脱自在に取付けられる支持部材に前記光反射部材を固定したことを特徴とする請求項１記載のレーザー光受光器。
【請求項８】
前記ハウジングに１８０度反対方向のどちらの位置でも取付手段によって着脱自在に取付けられる保持部材と、その保持部材に変位自在に取付けられるものであって前記ハウジングとは別の部材を前記保持部材に固定するための固定手段とを備えたことを特徴とする請求項１記載のレーザー光受光器。
【請求項９】
前記ハウジングに目印を入れるために用いる切欠を形成したことを特徴とする請求項１記載のレーザー光受光器。
【請求項１０】
レーザー光を導入する導入窓とレーザー光を見るための目視窓とそれら両方の窓同士を連絡する内部空間とを形成したハウジングと、前記内部空間に備えられるもので前記導入窓から進入したレーザー光を前記目視窓に向けて反射させる光反射部材と、前記光反射部材を通過するレーザー光の通過位置に備えられるものであって最適位置標示線並びにその最適位置標示線を中心とする両側に前記最適位置標示線からの距離を示す目盛を標示したレーザー光受光部材とを有するレーザー光受光器を使用するものであって、前記レーザー光受光器を支柱に固定し、測定する箇所の基準位置となる上に前記支柱を立て、レーザー光を水平に照射し、前記レーザー光受光器の最適位置標示線にレーザー光を合致させ、その後測定する基準位置以外の位置に前記支柱を立て、その位置での前記最適位置標示線とレーザー光とのズレを目盛から読み取ることを特徴とするレーザー光受光器を使用した高さのズレの測定方法。
【発明の詳細な説明】
【技術分野】
【０００１】
本発明は、レーザー墨出し器から照射されるレーザー光を受光して可視的に表示するためのレーザー光受光器とそのレーザー光受光器を使用した平面の高さのズレの測定方法に関する。
【背景技術】
【０００２】
従来から、内装工事等の建設作業の際に、壁面や天井等の被照射物にレーザー光による水平や鉛直な線を照射するレーザー墨出し器が使用されている。一般に、レーザー墨出し器から照射されるレーザー光は赤色の可視光線であり、照射されたそのレーザー光の光跡を目視することにより、壁面等に水平方向や鉛直方向の基準線を設定することが行われている（特許文献１）。
【０００３】
最近では、レーザー墨出し器は、内装工事等屋内での作業に限らず、基礎工事や整地作業における基準面の形成等屋外での作業においても頻繁に利用されるようになってきている。例えば、屋外での基礎工事においては、打ち込んだ基礎を一定の高さで水平にする必要があるが、従来は、四隅に立てた柱と柱の間に縄を張り、その縄の高さが平均して出ているか否かを目視することによってその基礎の高さの水平度を確認していた。しかし、最近では、この基礎工事のような屋外での作業の際にも、レーザー墨出し器を使用して基礎等の被照射物にレーザー光を照射することによってその水平度を測定することも行われてきている。
【０００４】
【特許文献１】特許２９２９５７８号公報
【発明の開示】
【発明が解決しようとする課題】
【０００５】
しかし、従来のレーザー墨出し器は、必ずしも日中の屋外等の明るい場所での使用に向いているとは言えない。というのも、このレーザー墨出し器より照射される赤色のレーザー光は可視光線ではあるが、明るいところではその光跡が非常に見難くなり、日中の屋外等外光の強い場所で作業をする場合には全く見えなくなってしまうこともある。このように、レーザー光は太陽光の下では視認性が劣るため、基礎工事等の日中の屋外での作業においてこのレーザー墨出し器のレーザー光を使用する作業に時間がかかる等、作業性が劣るという問題があった。
【０００６】
本発明は上記の点に鑑みてなされたものであり、日中の屋外等の明るい場所においても、レーザー光そのものを目視できるようにするための補助装置、即ち、レーザー光を受光してそれを可視的に表示するレーザー光受光器を提供することを目的とするものである。
【０００７】
本発明は更に、平面の各位置が同一高さであるかを簡単に調べることができ、かつズレがある場合にそのズレの寸法がどれだけであるかを簡単に認識できるレーザー光受光器を使用した高さのズレの測定方法を提供することを目的とするものである。
【課題を解決するための手段】
【０００８】
上記目的を達成するため、本発明に係るレーザー光受光器は、レーザー光を導入する導入窓とレーザー光を見るための目視窓とそれら両方の窓同士を連絡する内部空間とを形成したハウジングと、前記内部空間に備えられるもので前記導入窓から進入したレーザー光を前記目視窓に向けて反射させる光反射部材と、前記光反射部材を通過するレーザー光の通過位置に備えられるものであって最適位置標示線を標示したレーザー光受光部材とを有することを特徴とするものである。本発明は、前記レーザー光受光部材に、前記最適位置標示線を中心とする両側に前記最適位置標示線からの距離を示す目盛を標示したことを特徴とするものである。本発明は、前記レーザー光受光部材を半透明素材で構成したことを特徴とするものである。本発明は、前記光反射部材の位置より導入窓側に前記レーザー光受光部材を備え、そのレーザー光受光部材の位置より外側に遮光部材を備えたことを特徴とするものである。本発明は、前記目視窓の位置より外側に遮光部材を備えることを特徴とするものである。本発明は、前記導入窓側の位置より外側に遮光部材を備え、前記光反射部材の位置より目視窓側に前記レーザー光受光部材を備え、そのレーザー光受光部材の位置より外側に遮光部材を備えたことを特徴とするものである。本発明は、  前記ハウジングに着脱自在に取付けられる支持部材に前記光反射部材を固定したことを特徴とするものである。本発明は、前記ハウジングに１８０度反対方向のどちらの位置でも取付手段によって着脱自在に取付けられる保持部材と、その保持部材に変位自在に取付けられるものであって前記ハウジングとは別の部材を前記保持部材に固定するための固定手段とを備えたことを特徴とするものである。本発明は、前記ハウジングに目印を入れるために用いる切欠を形成したことを特徴とするものである。
【０００９】
本発明に係るレーザー光受光器を使用した高さのズレの測定方法は、レーザー光を導入する導入窓とレーザー光を見るための目視窓とそれら両方の窓同士を連絡する内部空間とを形成したハウジングと、前記内部空間に備えられるもので前記導入窓から進入したレーザー光を前記目視窓に向けて反射させる光反射部材と、前記光反射部材を通過するレーザー光の通過位置に備えられるものであって最適位置標示線並びにその最適位置標示線を中心とする両側に前記最適位置標示線からの距離を示す目盛を標示したレーザー光受光部材とを有するレーザー光受光器を使用するものであって、前記レーザー光受光器を支柱に固定し、測定する箇所の基準位置となる上に前記支柱を立て、レーザー光を水平に照射し、前記レーザー光受光器の最適位置標示線にレーザー光を合致させ、その後測定する基準位置以外の位置に前記支柱を立て、その位置での前記最適位置標示線とレーザー光とのズレを目盛から読み取ることを特徴とするものである。
【発明の効果】
【００１０】
本発明におけるレーザー光受光器では、レーザー墨出し器から照射されたレーザー光を導入窓から取入れ、ミラー等の光反射部材に反射させて目視窓から外部に誘導するものであり、作業者は目視窓を覗くことにより光反射部材によって反射された最適位置標示線並びに目盛とレーザー光とを目視できる。レーザー光受光部材に標示した最適位置標示線とレーザー光との間にズレがある場合には、目盛によってそのズレの距離を簡単に確認することができる。このように、導入窓から取入れたレーザー光をミラー等の光反射部材に反射させて、導入窓とは異なる角度の目視窓からレーザー光を見るようにしたので、太陽光が照っている屋外でもレーザー光を見ることができる。この際、レーザー光受光部材に標示した最適位置標示線並びに目盛とレーザー光とを目視できるようにしたので、レーザー光の位置と最適位置標示線とのズレとその距離とを一目で認識することができる。レーザー光を導入する導入窓とレーザー光を目視する目視窓とは角度が異なるので、作業者はレーザー光を遮ることなくレーザー光を確認でき、墨付け作業等の各種作業を容易に行うことができる。
【００１１】
フード等の遮光部材によって導入窓や目視窓の周囲を覆って太陽光等の外光を遮ることにより、レーザー光受光部材や光反射部材等に外光が直接当たることを防ぐことができる。このように、外光を遮ることで、日中の屋外等明るい場所においては視認し難かったレーザー光を鮮明に目視でき、誤認の心配がなくなり、作業性も向上する。また、レーザー光受光部材を半透明素材（例えば、磨りガラス状や白濁色の透過性薄板等）とすれば、減光作用が期待できると共に、風景がレーザー光受光部材を超えて視界に入ってくることを防ぐので、投影されたレーザー光がより見易くなる。電気等の動力を必要としない軽量簡素な構成であるので、屋外の広範囲な場所で使用することができる。
【００１２】
本発明におけるレーザー光受光器を使用した高さのズレの測定方法は、例えば基礎打ち面等の平面が均一の高さになっているかどうかを調べる場合に、基準位置においてレーザー光受光器の最適位置標示線と水平のレーザー光とを合致させておき、基準位置以外の各位置においてその位置での最適位置標示線と水平のレーザー光とのズレがあるかどうかを測定し、ズレが無い場合には基準位置との高さが同一になっていると認識する。平面が均一になっているかどうか（高さにズレがあるかどうか）を調べる。ズレがある場合は、レーザー光が投影している位置の目盛を読むことで、基準位置に対するズレの高さを一目で認識することができる。
【発明を実施するための最良の形態】
【００１３】
本発明のレーザー光受光器は、太陽が照っている日中においてもレーザー光を目視できるようにするためのものである。本発明のレーザー光受光器を使用した高さのズレの測定方法は、平面の各位置にレーザー光受光器を置くだけで、基準位置に対する高さのズレを一目で認識できるものである。
【実施例１】
【００１４】
以下、本発明の好適な実施例を図面に基づいて説明する。図１は本発明に係るレーザー光受光器の分解斜視図、図２は図１のレーザー光受光器の正面図、図３は図１のレーザー光受光器の平面図、図４は図１のレーザー光受光器の縦断面図である。
【００１５】
本実施例に示すレーザー光受光器１０は主に、ハウジング１２と、そのハウジング１２内に備えられる光反射部材としてのミラー１４と、そのミラー１４を支持してハウジング１２内の所定の位置に取付けるための支持部材１６と、ハウジング１２に取付ける連絡リング１８と、その連絡リング１８に取付けられるものであってターゲットフィルム２０を備えたターゲットリング２２と、ターゲットリング２２に取付けられる遮光部材としてのフード２４と、ハウジング１２に着脱自在に取付けられる保持部材２６とから構成される。
【００１６】
ハウジング１４内には、図１及び図４で上下方向に貫通する円筒形状の内部空間２８が形成されている。この内部空間２８の上部側開口部を目視窓３０とする。ハウジング１４の正面には、前記内部空間２８と連絡する導入窓３２が形成されている。内部空間２８の下部側開口部からミラー１４を取付けた支持部材１６を内部空間２８に挿入して、内部空間２８の所定位置にミラー１４を設置する。図４に示すように、ミラー１４は、導入窓３２から入ったレーザー光３４をその位置反射して目視窓３０に向けて照射するものである。レーザー光３４は入射角４５度の角度でミラー１４に入射し、反射角４５度の角度で目視窓３０に向けて反射するように、ミラー１４の位置や角度が設定されている。
【００１７】
なお、本実施例においては、ミラー１４を支持部材１６に固定し、支持部材１６をハウジング１２に取付ける構成を示したが、ミラー１４をハウジング１２に直接取付けるようにしても良い。しかし、ミラー１４を取付けた支持部材１６をハウジング１２に着脱自在とすることで、目視窓３０や導入窓３２に対するミラー１４の角度等の調整が容易となる。光反射部材としては、光を反射するものであれば、ミラーに限るものではない。
【００１８】
ハウジング１２において、各側面と裏面側とにわたる切欠３６が形成されている。この切欠３６は、レーザー光受光器１０の最適位置にレーザー光３４が照射している時に、壁面等に筆記具等で目印を入れるために使用するためのものである。ハウジング１２の上面には、レーザー光受光器１０の平衡度（水平度並びに垂直度）を確認するための気泡管３８が備えられている。
【００１９】
ターゲットフィルム２０を内部に固定したターゲットリング２２は、連絡リング１８を介してハウジング１２の導入窓３２よりやや外側に取付けられている。即ち、ターゲットフィルム２０は、導入窓３４を遮蔽するように設定されている。なお、ターゲットフィルム２０は、連絡リング１８やターゲットリング２２等を介さず、ハウジング１２に直接取付ける構成としても良い（導入窓３４の外側でも内側でも良い）。
【００２０】
ターゲットフィルム２０は、レーザー光を受光するためのもの（レーザー光受光部材）であり、レーザー光を透過するかレーザー光を投影するためのものである。ターゲットフィルム２０は、完全な透明であっても構わないが、光透過性の樹脂素材から成る白濁色の半透明の樹脂素材から成る薄板であることが好ましい。半透明であれば減光作用が期待できると共に、風景等の光がフィルムを透過するのを防ぎ、レーザー光をより視認し易くするためである。なお、ターゲットフィルム２０は、樹脂素材に限らず光を透過または投影する性質を持つものであればどのような素材でも良く、例えば、磨りガラスや艶消しガラス等でも良い。
【００２１】
図２に示すように、ターゲットフィルム２０には最適位置標示線４０が標示されている。ターゲットフィルム２０には、最適位置標示線４０と直角十字方向に標示される直角標示線４２と、その直角標示線４２に沿って前記最適位置標示線４０どれだけ離れているかを示す目盛４４とが標示されている。目盛４４は所定間隔（例えば１ｍｍ間隔）で標示されており、さらに大きな所定間隔毎（例えば１０ｍｍ毎）に数値４６が明記されている。このように、ターゲットフィルム２０は、減光フィルタとしての機能と指標としての機能とを兼ね備えている。
【００２２】
遮光部材であるフード２４は、ターゲットリング２２に着脱自在に取付けられるような構成となっており、ターゲットフィルム２０の位置より外側に取り付けられる。フード２４は、太陽光等の外光がターゲットフィルム２０を経由してミラー１４に照射するのを防ぐためのものであり、長さが長く黒色等の暗色系の色の筒状のものが望ましい。このフード２４を備えることによって太陽光等の外光が遮断され、レーザー光をより目視できるようにする。本実施例では、導入窓３２側にのみフード２４を備えたが、図４に示すように目視窓３０側にも遮光部材としてのフード４８（一点鎖線図示）を取付けても良い。
【００２３】
ハウジング１２の背面（導入窓３２が形成された面の反対側の面）には、ハウジング１２を支柱５０（図２及び図５）に固定するための保持部材２６が取付けられる。支柱５０は棒状のものであり、レーザー光受光器１０と固定して、レーザー光受光器１０を一定の高さに支持するためのものである。保持部材２６は、途中に直角方向に曲がるクランク部５２を設けた板状の本体５４と、その本体５４から離れない状態で本体５４に取付けられる取付手段としての第一ボルト５６並びに固定手段としての第二ボルト５８とから構成される。取付手段としての第一ボルト５６は、ハウジング１２に形成される雌螺子部６０と螺合して、保持部材２６をハウジング１２に取付けるためのものである。この第一ボルト５６で保持部材２６をハウジング１２に取付ける際に、第一ボルト５６の位置を中心に保持部材２６を１８０度回転させたどちらの位置でも、保持部材２６をハウジング１２に取付けることができるように保持部材２６の形状を設定する。これは、一方の切欠３６が保持部材２６で閉じられて使用できなくなるが、ハウジング１２の左右どちら側にでも保持部材２６を取付けることができるようにすることで、左右のどちらか一方側の切欠３６を使用できるようにするためである。
【００２４】
固定手段としての第二ボルト５８は、支柱５０を保持部材２６に固定するためのものである。この第二ボルト５８は、軸部６２と、その軸部６２の一端の締付ツマミ６４と、その軸部６２の他端の径大保持部６６を備えている。保持部材２６のクランク部５２と第二ボルト５８の径大保持部６６との間に支柱５０を置き、締付ツマミ６４を回して第二ボルト５８を本体５４のクランク部５２に向けて移動させることで、クランク部５２と径大保持部６６とで支柱５０を挟持し、支柱５０を保持部材２６に固定する。保持部材２６をハウジング１２に固定することで、レーザー光受光器１０を支柱５０に固定することができる。レーザー光受光器１０の支柱５０の取付け位置は容易に変更できる。
【００２５】
次に、本発明によるレーザー光受光器１０の作用及びそのレーザー光受光器１０の具体的な使用方法を図５に基づいて説明する。ここでは、太陽が照っている日中の屋外において、壁面等に水平な墨出し線を入れる場合について説明する。この際使用するレーザー光発光装置としては、従来既知のレーザー墨出し器６８を使用する。従来既知のレーザー墨出し器６８は、平衡度（水平度並びに垂直度）を確認するための気泡管７０を備えている。所定の位置で所定の高さにレーザー墨出し器６８を設定し、気泡管６８を確認してレーザー墨出し器６８の平衡度を出し、レーザー墨出し器６８から水平方向のレーザー光３４を照射する。一方、レーザー光受光器１０は保持部材２６を介して支柱５０に固定し、墨出し線を入れる壁面付近に支柱５０を立て、レーザー光受光器１０のフード２４をレーザー墨出し器６８に向け、気泡管３８を確認してレーザー光受光器１０の平衡度を出す。
【００２６】
レーザー墨出し器６８から出たレーザー光３４は、レーザー光受光器１０ではターゲットフィルム２０に照射される。レーザー光受光器１０の上方の目視窓３０を覗く作業者には、最適位置標示線４０や目盛４４等が標示されるターゲットフィルム２０とそのターゲットフィルム２０に受光したレーザー光３４とがミラー１４によって反射したものが見える。
【００２７】
ここで、レーザー光３４を受光した状態のターゲットフィルムを導入窓側から見た図を図６に示し、レーザー光３４を受光した状態の目視窓から見た図を図７に示す。図６及び図７においては、レーザー光３４は、最適位置標示線４０と平行ではあるが、図６において最適位置標示線４０よりやや下方位置に照射された状態を示す。レーザー光受光器１０もレーザー墨出し器６８も、水平度と垂直度が出ていることから、レーザー光３４は最適位置標示線４０と平行な状態に現われる。図６に示すレーザー光３４と最適位置標示線４０との間のズレは、図７に示すように、目視窓３０からも目視することができる。このズレの距離は、作業者は目視窓３０から目盛４４を読み取ることで認識することができる。レーザー光３４と最適位置標示線４０との間にズレがある場合には、レーザー光受光器１０を支柱５０に対して移動して（この場合は支柱５０に対してレーザー光受光器１０の高さを下げ）、レーザー光受光器１０を適正な高さに調節する。レーザー光３４（赤色）とターゲットフィルム２０の最適位置標示線４０とが重なった場合に、レーザー光受光器１０が適正な高さにあり、この状態においてハウジング１２に形成した切欠３６から筆記具等により壁面に目印としての墨出し線を入れる。
【００２８】
本実施例のレーザー光受光器１０では、レーザー光３４を受光したターゲットフィルム２０をミラー１４で反射させて、目視窓３０側からレーザー光３４とターゲットフィルム２０とを見ることができるようにしたものであり、太陽光が降り注ぐ屋外においては一般には見え難いレーザー光３４を、レーザー光受光器１０を介してレーザー光３４そのものを見ることができるようにしたものである。本発明では、最適位置標示線４０並びに目盛４４とレーザー光３４とを見ることができ、しかも、レーザー光３４と最適位置標示線４０との間にどれだけズレがあるかが目盛４４から分かるので、レーザー光受光器１０を適正な高さに容易に合わせることができる。本発明では、水平方向に照射するレーザー光３４を、上方の目視窓３０から下方に向けて覗くことで、水平方向のレーザー光３４を妨げることなく作業を行うことができ、かつ、目視窓３０から覗きながら作業ができるので、作業性が向上する。更に、ターゲットフィルム２０の位置より外側に太陽光を遮断するためのフード２４を設けているので、ターゲットフィルム２０には主にレーザー光３４が照射され、レーザー光３４をより鮮明に見ることができる。目視窓３０側にもフード４８を取付けることで、より有効な遮光効果が期待できる。その上、本発明によるレーザー光受光器１０は、電気等の動力を必要としない軽量簡素な構成であるので、屋外の広範囲な作業場所にも適用することができる。
【実施例２】
【００２９】
次に、本発明の他の実施例を図８に基づいて説明する。図８において図１乃至図４と同一符号は同一部材を示すものとする。実施例１においては、ターゲットフィルム２０を備えたターゲットリング２２を導入窓３２側に配置したが、この実施例２においては、ターゲットフィルム２０を備えたターゲットリング２２をミラー１４の位置より目視窓３０側に配置する。即ち、ハウジング１２の目視窓３０側に連絡リング１８を取り付け、その連絡リング１８にターゲットフィルム２０を備えたターゲットリング２２を取り付ける。このターゲットリング２２には、遮光部材としてのフード４８を取付けても良い。また、連絡リング１８やターゲットリング２２を省略して、ターゲットフィルム２０をハウジング１２の目視窓３０側に直接取付けても良い。ハウジング１２の導入窓３２側には、導入窓３２の位置よりも外側に遮光部材としてのフード２４を取付ける。このフード２４は、太陽光がミラー１４に照射されるのを防止するためのものである。
【００３０】
この実施例２においては、導入窓３２からミラー１４に向けて照射されたレーザー光３４は、ミラー１４で反射されてターゲットフィルム２０に投影または透過される。上部からターゲットフィルム２０を見る作業者はターゲットフィルム２０の最適位置標示線４０並びに目盛４４と、ターゲットフィルム２０に投影またはそこを透過するレーザー光３４を見ることができる。この結果、実施例２は実施例１と同じ効果を得ることができ
【実施例３】
【００３１】
本発明のレーザー光受光器１０の使用方法としては、前述したように、屋外の壁面に墨出し線を入れる墨出し作業の目的で使用する。その他の使用方法としては、建設現場の基礎打ち面の各位置での高さが均等であるかどうかを測定（高さのズレの測定）するために使用する。この場合は、基礎打ち面の例えば中心位置で支柱５０の下端を建設現場に接触させ、レーザー光３４がターゲットフィルム２０の最適位置標示線４０に重なるように、支柱５０に対するレーザー光受光器１０の高さを調整し、支柱５０とレーザー光受光器１０とを固定する。この支柱５０とレーザー光受光器１０とを固定した位置での高さを基準位置の高さとする。その後、建設現場の基礎打ち面の各位置において、レーザー光３４が最適位置標示線４０と合致しているかどうかを測定する。レーザー光３４が最適位置標示線４０と合致していれば、その位置は基準位置と同じ高さであることが判明する。レーザー光３４が最適位置標示線４０と合致していない場合には、その測定位置が基準位置の高さよりずれていることが分かる。そのズレの高さは、目盛４４の数値を読み取ることで把握することができる。
【産業上の利用可能性】
【００３２】
上述したように、本発明によるレーザー光受光器は、レーザー墨出し器６８から照射されるレーザー光を受光して壁等の被照射物に墨出し線を入れる器具として利用することができる。また、本発明によるレーザー光受光器を使用した高さのズレの測定方法は、例えば、建設現場の基礎打ち面等の平面より上位に水平のレーザー光３４を照射させておき、レーザー光受光器１０を取付けた支柱５０を平面の各位置において、レーザー光受光器１０の最適位置標示線４０とレーザー光３４とのズレがあるかどうかを調べることで、平面が均一になっているかどうか（高さにズレがあるかどうか）を調査し、ズレがある場合は、最適位置標示線４０との距離を示す目盛４４を読み取ることで、ズレの距離を認識することができる。
【図面の簡単な説明】
【００３３】
【図１】本発明に係るレーザー光受光器の分解斜視図である。
【図２】本発明に係るレーザー光受光器の正面図である。
【図３】本発明に係るレーザー光受光器の平面図である。
【図４】本発明に係るレーザー光受光器の縦断面図である。
【図５】本発明に係るレーザー光受光器の使用状態を示す斜視図である。
【図６】本発明に係るレーザー光受光器の使用状態におけるターゲットフィルムを導入窓側から示す正面図である。
【図７】本発明に係るレーザー光受光器の使用状態における目視窓を示す平面図である。
【図８】本発明に係るレーザー光受光器の他の実施例を示す縦断面図である。
【符号の説明】
【００３４】
１０    レーザー光受光器
１２    ハウジング
１４    ミラー
１６    支持部材
２０    ターゲットフィルム
２４    フード
２６    保持部材
２８    内部空間
３０    目視窓
３２    導入窓
３４    レーザー光
４０    最適位置標示線
４４    目盛
４８    フード
５０    支柱
５４    本体
５６    第一ボルト
５８    第二ボルト
【図１】
2007315934.tif 000003
【図２】
2007315934.tif 000004
【図３】
2007315934.tif 000005
【図４】
2007315934.tif 000006
【図５】
2007315934.tif 000007
【図６】
2007315934.tif 000008
【図７】
2007315934.tif 000009
【図８】
2007315934.tif 000010